【事件の表示】
　特願２００９−１２９０７０「調整されない休止モードを電力変換器内で実現するための方法および装置」拒絶査定不服審判事件〔平成２１年１２月１０日出願公開、特開２００９−２９１０６６〕について、次のとおり審決する。
【結　論】
　本件審判の請求は、成り立たない。
【理　由】
１．手続の経緯
　本願は、平成２１年５月２８日（パリ条約による優先権主張、２００８年５月２９日、米国）の出願であって、平成２４年４月１６日付で手続補正書が提出され、平成２５年８月１２日付で拒絶の理由が通知され（発送日：平成２５年８月２０日）、これに対し、平成２５年１１月１５日付で意見書及び手続補正書が提出されたが、平成２６年４月２２日付で拒絶査定がなされ（発送日：平成２６年５月７日）、これに対し、平成２６年９月５日に拒絶査定不服審判の請求がなされたものである。
　
２．本願発明 
　平成２４年４月１６日付手続補正により、特許請求の範囲の請求項１、９、１０は、以下のように補正された。
「【請求項１】
　電力変換器内で使用する制御回路であって、
　制御回路に結合されることになる電力スイッチの切換を制御するための駆動信号を発生させて、電力変換器の出力に結合されることになる１つ以上の負荷のエネルギ要件に応答して電力変換器の出力へのエネルギの流れを調整するように結合される駆動信号発生器と、
　１つ以上の負荷のエネルギ要件が閾値を下回ると、駆動信号発生器を休止状態にすることによって、駆動信号発生器による電力変換器の出力へのエネルギの流れの調整を中止するように結合される、調整されない休止モード制御回路とを備え、
　駆動信号発生器は、休止状態の間は１つ以上の負荷のエネルギ要件の変化に応答しないように結合され、
　調整されない休止モード制御回路は、ある期間の経過後に駆動信号発生器をパワーアップするように結合され、
　駆動信号発生器は、ある期間の経過後に１つ以上の負荷のエネルギ要件の変化に再び応答するように結合される、制御回路。」
「【請求項９】
　電力スイッチは、エネルギ移送素子を通る電力変換器の出力へのエネルギの流れを調整するように結合され、
　エネルギ移送素子は絶縁出力巻線を含み、
　１つ以上の負荷の１つが絶縁出力巻線に結合される、請求項１に記載の制御回路。
【請求項１０】
　１つ以上の負荷の前記１つは、電力変換器の出力端子に結合される予負荷インピーダンスおよび負荷を含む、請求項９に記載の制御回路。」
　本願の請求項１０は、請求項１を引用する請求項９を引用しているから、これを独立形式で記載すると、本願の請求項１０に係る発明（以下、「本願発明」という。）は、以下のとおりのものである。
「電力変換器内で使用する制御回路であって、
　制御回路に結合されることになる電力スイッチの切換を制御するための駆動信号を発生させて、電力変換器の出力に結合されることになる１つ以上の負荷のエネルギ要件に応答して電力変換器の出力へのエネルギの流れを調整するように結合される駆動信号発生器と、
　１つ以上の負荷のエネルギ要件が閾値を下回ると、駆動信号発生器を休止状態にすることによって、駆動信号発生器による電力変換器の出力へのエネルギの流れの調整を中止するように結合される、調整されない休止モード制御回路とを備え、
　駆動信号発生器は、休止状態の間は１つ以上の負荷のエネルギ要件の変化に応答しないように結合され、
　調整されない休止モード制御回路は、ある期間の経過後に駆動信号発生器をパワーアップするように結合され、
　駆動信号発生器は、ある期間の経過後に１つ以上の負荷のエネルギ要件の変化に再び応答するように結合され、
　電力スイッチは、エネルギ移送素子を通る電力変換器の出力へのエネルギの流れを調整するように結合され、
　エネルギ移送素子は絶縁出力巻線を含み、
　１つ以上の負荷の１つが絶縁出力巻線に結合され、
　１つ以上の負荷の前記１つは、電力変換器の出力端子に結合される予負荷インピーダンスおよび負荷を含む、制御回路。」
３．引用例 
　これに対して、原査定の拒絶の理由で引用された、国際公開２００５／００６５２７号（以下、「引用例１」という。）には、図面とともに、以下の事項が記載されている。
　
ａ「本発明は、通常の動作状態に戻れるように待機しているときの消費電力を低減することが可能な電源装置及びその制御方法に関する。」（［0001］）
ｂ「しかし、電源装置が起動しなければ、負荷に電流は流れないから、無負荷状態と同じである。従って、このような従来の電源装置では、一旦、待機状態になると、外部から、電源装置を起動するための起動信号を供給しなければ、いつまでたっても電源装置は起動しない。言い換えると、従来の電源装置では、外部から起動信号を供給する必要があり、外部から起動信号を供給できないものでは、このような方法を適用することができない。
発明の開示
発明が解決しようとする課題
　本発明は、このような従来の問題点に鑑みてなされたもので、外部から信号が供給されることなく、待機状態から動作を開始させることが可能な電源装置を提供することを目的とする。」（［0004］−［0005］）
　
ｃ「駆動信号生成に必要な駆動制御用電圧が印加されて駆動信号を生成し、生成した駆動信号を前記電圧生成部に供給して前記電圧生成部を駆動制御する駆動制御部と、
　起動時、前記駆動制御部に前記駆動制御用電圧を印加し、前記負荷に供給する出力電流が予め設定された電流値未満になると、前記駆動制御部を停止し、前記駆動制御部を停止してから所定時間経過後に前記駆動制御部を作動させる駆動制御用電圧供給部と、を備えたものである。
前記電圧生成部は、
１次巻線と２次巻線とを有するトランスと、
・・・略・・・と、
　前記トランスの１次巻線に流れる電流をスイッチングして、前記トランスの１次巻線に電圧を発生させるスイッチング部と、
　前記トランスの２次巻線に発生した電圧を整流し、平滑化して前記負荷に供給する整流平滑部と、を備え、
　前記駆動制御部は、前記スイッチング部が前記電流をスイッチングするためのパルス信号を駆動信号として前記スイッチング部に供給して前記スイッチング部を駆動制御するように構成されたものであってもよい。」（［0006］）
　
ｄ「前記駆動制御用電圧供給部は、
　充電された電圧を駆動制御用電圧として前記駆動制御部に印加するコンデンサと、
・・・略・・・に、前記電圧生成部の直流電圧入力部から前記コンデンサに電流を供給して前記コンデンサを充電する充電回路部と、
　前記トランスの３次巻線に発生した電圧を整流して前記コンデンサに印加し、前記コンデンサを充電する補助電源部と、
　前記駆動制御部に供給する駆動制御用電圧が、予め設定された電圧値以上になると前記充電回路部から前記コンデンサへの充電を停止させる充電制御部と、
　前記負荷に供給する出力電流を検出して、検出した出力電流の電流値と予め設定された電流値とを比較し、前記検出した出力電流の電流値が予め設定された電流値未満になると、前記駆動制御部の動作を停止させる動作停止部と、
　前記動作停止部が前記駆動制御部の動作を停止させてから時間を計測し、計測してから予め設定された時間が経過したときに、前記充電制御部に前記コンデンサへの充電を再開させる時間計測部と、を備えたものであってもよい。」（［0007］）
　
ｅ「前記充電制御部は、前記スイッチを開いて前記充電回路部から前記コンデンサへの充電を停止させるスイッチ制御部からなり、
　前記時間計測部は、前記動作停止部が前記駆動制御部の動作を停止させてから時間を計測し、計測してから予め設定された時間が経過したときに、前記スイッチ制御部に前記スイッチを閉じさせるためのスイッチオン信号を出力して前記コンデンサへの充電を再開させるように構成されたものであってもよい。」（［0010］）
　
ｆ「前記負荷に供給する出力電流を検出して、検出した出力電流の電流値と予め設定された電流値とを比較し、前記検出した出力電流の電流値が予め設定された電流値未満になると、前記駆動制御部の動作を停止させる動作停止部と、
放電指令信号が供給されて前記コンデンサの電圧を放電する放電制御部と、・・・略・・・を備えたものであってもよい。
　前記充電回路部は、電流を前記コンデンサに供給する電流供給部からなり、
前記放電制御部は、
　前記直流電圧入力部が直流電圧の入力を開始する起動時には開いているスイッチと、
　前記動作停止部が前記駆動制御部の動作を停止させたとき、前記スイッチを閉じて前記コンデンサの電圧を放電するスイッチ制御部と、から構成されるものであってもよい。」（［0012］−［0013］）
　
ｇ「電源装置の制御方法であって、
　前記電源装置の起動時に、前記駆動制御部に前記駆動制御用電圧を印加して、前記電圧生成部から前記負荷に電圧を供給させ、負荷に流れる電流をモニタして、該電流が予め設定された電流値未満になると、前記駆動制御部の動作を停止し、停止させてから所定時間経過後に前記駆動制御用電圧の前記駆動制御部への供給を再開させて、前記駆動制御部を作動させる、ことを特徴とする。」（［0015］）
　
ｈ「尚、１次巻線n1と２次巻線n2とは、トランジスタＱ１がオンしたときにトランスＴにエネルギが蓄積され、オフしている期間でトランスＴに蓄積されたエネルギが放出されるように、トランスＴに巻き回される。
　出力電圧検出部５は、出力電圧を検出するものであり、フォトダイオードＤ１１と、トランジスタＱ１１と、ツェナーダイオードＺＤ１１と、抵抗Ｒ１１〜Ｒ１４と、を備える。」（［0027］−［0028］）
　
ｉ「フォトダイオードＤ１１と制御部６のフォトトランジスタＱ２１とは、フォトカプラを構成するものである。フォトカプラを用いることにより、１次側と２次側を絶縁することができる。フォトダイオードＤ１１は、自己に流れる電流に応じた発光量で発光する。フォトダイオードＤ１１のアノードと抵抗Ｒ１４の一端とは、出力端子Ｐout1に接続される。
　トランジスタＱ１１は、ＮＰＮバイポーラトランジスタから構成される。トランジスタＱ１１とツェナーダイオードＺＤ１１とは、出力電圧に基づいてフォトダイオードＤ１１に流れる電流をコントロールするためのものである。トランジスタＱ１１のコレクタは、フォトダイオードＤ１１のカソードと抵抗Ｒ１４の他端とに接続され、ベースは、抵抗Ｒ１２、１３の接続点に接続される。ツェナーダイオードＺＤ１１のカソードは、トランジスタＱ１１のエミッタに接続され、アノードは、出力端子Ｐout2に接続される。
　制御部６は、駆動制御用電圧が印加されてトランジスタＱ１を駆動する駆動信号としてのパルス信号を生成するものである。制御部６は、出力電圧検出部５が検出した出力電圧が予め設定された電圧となるようにパルス信号のパルス幅を制御（ＰＷＭ制御）する。そして、制御部６は、生成したパルス信号を駆動信号としてトランジスタＱ１のゲートに供給するものである。制御部６は、フォトトランジスタＱ２１と、ＰＷＭ制御回路１２と、を備える。
　フォトトランジスタＱ２１は、出力電圧検出部５の電圧検出信号を制御部６に供給するものであり、コレクタは、ＰＷＭ制御回路１２に接続され、エミッタは、コンデンサＣ１の他端に接続される。また、フォトトランジスタＱ２１は、フォトダイオードＤ１１が発光した光をベースで受光し、受光した光の受光量に応じたレベルのコレクタ電圧（コレクタ−エミッタ間電圧）をＰＷＭ制御回路１２に印加する。
　ＰＷＭ制御回路１２は、フォトトランジスタＱ２１のコレクタ電圧に従って、トランジスタＱ１のゲートに供給するパルス信号のパルス幅を制御するものであり、ＰＷＭ制御回路１２は、パルス信号を生成するための駆動制御用電圧が供給され、この駆動制御用電圧の電圧レベルが所定レベル以上になって動作する。ＰＷＭ制御回路１２は、例えば、三角波電圧生成回路と、信号レベル比較回路と、パルス信号生成回路と、から構成される（いずれも図示せず）。そして、三角波電圧生成回路は、三角波電圧を生成し、信号レベル比較回路は、フォトトランジスタＱ２１のコレクタ電圧と三角波電圧生成回路が生成した三角波の電圧との電圧レベルを比較する。そして、パルス信号生成回路は、信号レベル比較回路の比較結果に基づいて、前述のＰＷＭ制御したパルス信号を生成する。」（［0030］−［0034］）
ｊ「駆動制御用電圧供給部８は、コンバータの起動時に、ＰＷＭ制御回路に定電流を供給するものであり、スイッチ１３と、定電流供給部１４と、コンデンサＣ３と、負荷検出回路１５と、タイマ１６と、スイッチ制御部（図中、「ＳＷ制御部」と記す。）１７と、を備える。」（［0036］）
　
ｋ「負荷検出回路１５は、出力端子Ｐｏｕｔ１、Ｐｏｕｔ２間に接続された負荷の負荷量を判別して軽負荷を検出するものであり、図２に示すように、コンパレータ２１とインバータ２２とを備えて構成される。
　コンパレータ２１の反転入力端子（−端子）は、フォトトランジスタＱ２１のコレクタに接続される。コンパレータ２１の非反転入力端子（＋端子）には、予め設定された参照電圧Ｖrefが供給される。この参照電圧Ｖrefは、軽負荷か否かを判定するために予め設定された電圧である。インバータ２２の入力端子は、コンパレータ２１の出力端子に接続され、インバータ２２の出力端子は、タイマ１６に接続される。
　フライバックコンバータでは、負荷量が軽くなるに従って、即ち、出力電流が低下するに従って出力電圧は上昇し、フォトトランジスタＱ２１のコレクタ電圧は低下する。コンパレータ２１は、フォトトランジスタＱ２１のコレクタ電圧が参照電圧Ｖref以上であれば、ローレベルの信号をＰＷＭ制御回路１２に供給し、フォトトランジスタＱ２１のコレクタ電圧が参照電圧Ｖref未満になると、軽負荷と判定してハイレベルの信号をＰＷＭ制御回路１２に供給する。」（［0040］−［0042］）
　
ｌ「タイマ１６は、負荷検出回路１５が軽負荷と判定してからの時間を計測するものであり、計測してから予め設定された時間が経過したとき、スイッチ制御部１７に、スイッチ１３をオンさせるためのスイッチオン信号を供給する。尚、予め設定された時間は、待機中の電力を大きく低減するため、１秒以上であることが望ましい。
　スイッチ制御部１７は、スイッチ１３をオン（閉）、オフ（開）制御するものである。スイッチ１３は、交流電源９投入時は、オン（閉）している。スイッチ制御部１７は、コンデンサＣ３の両端の電圧が、スイッチ１３をオフするように設定された電圧を越えると、スイッチ１３をオフして、コンデンサＣ３への充電を停止させる。また、スイッチ制御部１７は、タイマ１６からスイッチオン信号が供給されると、スイッチ１３をオンして、充電を再開させる。」（［0043］−［0044］）
　
ｍ「コンデンサＣ３は、供給された定電流によって充電され、コンデンサＣ３の両端の電圧Ｖc3は、図３（ｃ）に示すように、上昇する。尚、図３（ｃ）において、電圧Ｖ１をＰＷＭ制御回路１２が動作する動作電圧とする。時刻ｔ１１になってコンデンサＣ３の電圧Ｖc3が電圧Ｖ１に到達すると、ＰＷＭ制御回路１２は、動作を開始する。
　ＰＷＭ制御回路１２の動作が開始すると、コンデンサＣ３の電圧Ｖc3は、図３（ｃ）に示すように、一旦、低下し、補助電源部７からコンデンサＣ３に電圧が印加されると、コンデンサＣ３の電圧Ｖc3は、再び、上昇する。尚、スイッチ制御部１７は、時刻ｔ１１において、図３（ｂ）に示すように、スイッチ１３を開く。
　ＰＷＭ制御回路１２は、動作が開始すると、トランジスタＱ１のゲートに、図４（ａ）に示すようなパルス信号を供給する。トランジスタＱ１は、ゲートに供給されたパルス信号がハイレベルになるとオンし、ローレベルになるとオフする。
　トランジスタＱ１がオンすると、トランジスタＱ１のドレイン−ソース間には、図４（ｂ）に示すようなドレイン電流Ｉdが流れ、トランジスタＱ１のドレイン−ソース間に印加されるドレイン電圧Ｖdsは、図４（ｃ）に示すように、ほぼ０になる。
　トランジスタＱ１がオフすると、ドレイン電流Ｉdは、図４（ｂ）に示すように、０となり、ドレイン電圧Ｖdsは、図４（ｃ）に示すように、コンデンサＣ１の両端の電圧Ｖc1とフライバック電圧とを加算した電圧になる。尚、コンデンサＣ２の両端の電圧（出力電圧）をＶc2とすると、フライバック電圧は、Ｖc2×（ｎ１／ｎ２）で表される。
　トランジスタＱ１がオン、オフすることにより、トランスＴの３次巻線ｎ３に電圧が発生し、補助電源部７のダイオードＤ１２は、３次巻線ｎ３に発生した電圧を整流し、整流した電圧をコンデンサＣ３に印加する。」（［0048］−［0053］）
　
ｎ「出力電流Ｉoutが低下すると、出力電圧Ｖoutは上昇し、フォトトランジスタＱ２１のコレクタ電圧Ｖpcは低下する。
　図５（ｅ）に示すように、コレクタ電圧Ｖpcが、時刻ｔ２１において、負荷検出回路１５のコンパレータ２１の参照電圧Ｖref未満になると、負荷検出回路１５のコンパレータ２１は、図５（ｆ）に示すように、ハイレベルの信号をＰＷＭ制御回路１２に供給する。ＰＷＭ制御回路１２は、コンパレータ２１からハイレベルの信号が供給されると、動作を停止する。
　ＰＷＭ制御回路１２の動作が停止すると、トランスＴの１次巻線ｎ１には、電圧が印加されず、図５（ｃ）に示すように、出力電圧Ｖoutは低下し、図５（ｄ）に示すように、出力電流Ｉoutも０になる。また、トランスＴの３次巻線ｎ３にも電圧は発生せず、スイッチ１３もオフしているため、コンデンサＣ３は放電し、コンデンサＣ３の電圧Ｖc3は、図５（ｂ）に示すように、低下する。
　負荷検出回路１５のインバータ２２は、時刻ｔ２１において、コンパレータ２１の出力信号を反転させ、ローレベルの信号をタイマ１６に供給する。
　タイマ１６は、負荷検出回路１５からローレベルの信号が供給されると、図５（ｇ）に示すように、時刻ｔ２２までの所定時間を計測する。そして、時刻ｔ２２になると、タイマ１６は、スイッチ制御部１７にスイッチ１３をオンさせるためのスイッチオン信号を供給する。
　スイッチ制御部１７は、このスイッチオン信号が供給されると、スイッチ１３をオンする。スイッチ１３がオンすると、定電流供給部１４は、コンデンサＣ３に定電流を供給し、コンデンサＣ３の電圧Ｖc3は、再び、上昇する。電圧Ｖc3が電圧Ｖ１以上になると、ＰＷＭ制御回路１２は、動作を開始し、同時にスイッチ制御部１７は、スイッチ１３をオフする。」（［0061］−［0066］）
　
ｏ「以上説明したように、本実施の形態１によれば、出力電流Ｉoutが少なくなって軽負荷になると、負荷検出回路１５はＰＷＭ制御回路１２の動作を停止させ、タイマ１６が計測した所定時間が経過すると、スイッチ制御部１７がスイッチ１３をオンして、ＰＷＭ制御回路１２に、再び、電圧が印加される。」（［0070］）
　上記記載事項及び図面を参照すると、電源装置内で使用する制御回路が示されている。
　上記記載事項及び図面を参照すると、制御部に結合されることになるトランジスタＱ１のオンオフを制御している。
　上記記載事項及び図面を参照すると、タイマは計測してから予め設定された時間が経過したとき、スイッチ１３をオンし、コンデンサＣ３の電圧Ｖc3が電圧Ｖ１以上になると、制御部のＰＷＭ制御回路１２は動作を開始するから、負荷検出回路を備える駆動制御用電圧供給部は、ある期間の経過後に制御部のＰＷＭ制御回路１２が動作を開始するようにしており、制御部のＰＷＭ制御回路は、ある期間の経過後に再び出力電圧が予め設定された電圧となるようにされている。
　上記記載事項及び図面を参照すると、電源装置に負荷が接続されるから、トランスＴの２次巻線に１つ以上の負荷の１つを結合している。
　上記記載事項からみて、引用例１には、
「電源装置内で使用する制御回路であって、
　制御部に結合されることになるトランジスタのオン、オフを制御するためのパルス信号を駆動信号として生成させて、出力電圧検出部が検出した出力電圧が予め設定された電圧となるようにパルス信号のパルス幅を制御するＰＷＭ制御回路を備える制御部と、
　負荷量が軽くなって出力電流が低下するに従って出力電圧が上昇し、フォトトランジスタのコレクタ電圧が参照電圧未満になると、制御部のＰＷＭ制御回路の動作を停止させることによって、出力電流を０にする、負荷検出回路を備える駆動制御用電圧供給部とを備え、
　制御部のＰＷＭ制御回路は、動作を停止させることによって出力電流を０にされ、
　負荷検出回路を備える駆動制御用電圧供給部は、ある期間の経過後に制御部のＰＷＭ制御回路が動作を開始するようにされ、
　制御部のＰＷＭ制御回路は、ある期間の経過後に再び出力電圧が予め設定された電圧となるようにされ、
　トランジスタがオンしたときにトランスにエネルギが蓄積され、オフしている期間でトランスに蓄積されたエネルギが放出され、
　トランスは２次巻線を含み、
　１つ以上の負荷の１つが２次巻線に結合される、制御回路。」
との発明（以下、「引用発明」という。）が開示されているものと認められる。
　 
　 
４．対比 
　そこで、本願発明と引用発明とを比較すると、引用発明の「電源装置」、「トランジスタ」、「オン、オフを制御」、「パルス信号を駆動信号として生成」、「ＰＷＭ制御回路を備える制御部」、「負荷量」、「参照電圧」、「動作を停止させる」、「トランス」は、それぞれ本願発明の「電力変換器」、「電力スイッチ」、「切換を制御」、「駆動信号を発生」、「駆動信号発生器」、「１つ以上の負荷のエネルギ要件」、「閾値」、「休止状態にする」、「エネルギ移送素子」に相当する。
　引用発明の「制御部に結合されることになるトランジスタ」は、本願発明の「制御回路に結合されることになる電力スイッチ」に相当する。
　引用発明の電源装置は１つ以上の負荷を有しており、出力電圧が予め設定された電圧となるようにすることは、電源装置の出力へのエネルギの流れを調整するものであるから、引用発明の「出力電圧検出部が検出した出力電圧が予め設定された電圧となるようにパルス信号のパルス幅を制御するＰＷＭ制御回路を備える制御部」は、本願発明の「電力変換器の出力に結合されることになる１つ以上の負荷のエネルギ要件に応答して電力変換器の出力へのエネルギの流れを調整するように結合される駆動信号発生器」に相当する。
　引用発明の「負荷量が軽くなって出力電流が低下するに従って出力電圧が上昇し、フォトトランジスタのコレクタ電圧が参照電圧未満になる」は、本願発明の「１つ以上の負荷のエネルギ要件が閾値を下回る」に相当する。
　引用発明の「制御部のＰＷＭ制御回路」は「制御部」の一部であり、「出力電流を０にする」とは電源装置が動作していなので負荷に対するエネルギの流れの調整を中止することであるから、引用発明の「制御部のＰＷＭ制御回路の動作を停止させることによって、出力電流を０にする、負荷検出回路を備える駆動制御用電圧供給部」は、本願発明の「駆動信号発生器を休止状態にすることによって、駆動信号発生器による電力変換器の出力へのエネルギの流れの調整を中止するように結合される、調整されない休止モード制御回路」に相当する。
　引用発明において「出力電流を０」にすれば電源装置は停止し、負荷に変動があっても電源装置は応答しないから、引用発明の「制御部のＰＷＭ制御回路は、動作を停止させることによって出力電流を０にされ」は、本願発明の「駆動信号発生器は、休止状態の間は１つ以上の負荷のエネルギ要件の変化に応答しないように結合され」に相当する。
　引用発明の「制御部のＰＷＭ制御回路」は「制御部」の一部であり、制御部のＰＷＭ制御回路が動作を開始することはパワーアップすることであるから、引用発明の「負荷検出回路を備える駆動制御用電圧供給部は、ある期間の経過後に制御部のＰＷＭ制御回路が動作を開始するようにされ」は、本願発明の「調整されない休止モード制御回路は、ある期間の経過後に駆動信号発生器をパワーアップするように結合され」に相当する。
　引用発明において、「出力電圧が予め設定された電圧となるようにされ」は、電源装置が負荷に対応した出力を発生させることであるから、引用発明の「制御部のＰＷＭ制御回路は、ある期間の経過後に再び出力電圧が予め設定された電圧となるようにされ」は、本願発明の「駆動信号発生器は、ある期間の経過後に１つ以上の負荷のエネルギ要件の変化に再び応答するように結合され」に相当する。
　引用発明のトランスのエネルギ蓄積・放出は、電源装置から出力されるエネルギの流れを調整するから、引用発明の「トランジスタがオンしたときにトランスにエネルギが蓄積され、オフしている期間でトランスに蓄積されたエネルギが放出され」は、本願発明の「電力スイッチは、エネルギ移送素子を通る電力変換器の出力へのエネルギの流れを調整するように結合され」に相当する。
　引用発明の電源装置はトランスを用いることにより絶縁タイプのＤＣ／ＤＣコンバータとなっており、トランスの２次巻線は絶縁タイプの出力巻線であるから絶縁出力巻線と解釈できるので、引用発明の「トランスは２次巻線を含み」は、本願発明の「エネルギ移送素子は絶縁出力巻線を含み」に相当する。なお、「絶縁出力巻線」が、電気絶縁材料を用いて絶縁された出力巻線とも解釈できるが、この様に解釈すると、例えば請求項１１の「非絶縁検知巻線」は、通常行われる電気絶縁材料を用いた絶縁が行われない巻線となり、一般的ではないから、この様な解釈は採用できない。
　絶縁型の電力変換器において、負荷が電力変換器の出力端子に結合されることは、負荷がトランスの２次巻線に結合されることであるから、引用発明の「１つ以上の負荷の１つが２次巻線に結合される」と、本願発明の「１つ以上の負荷の１つが絶縁出力巻線に結合され、１つ以上の負荷の前記１つは、電力変換器の出力端子に結合される予負荷インピーダンスおよび負荷を含む」は、「１つ以上の負荷の１つが絶縁出力巻線に結合され、１つ以上の負荷の前記１つは、電力変換器の出力端子に結合される負荷を含む」との概念で一致する。
　したがって、両者は、
「電力変換器内で使用する制御回路であって、
　制御回路に結合されることになる電力スイッチの切換を制御するための駆動信号を発生させて、電力変換器の出力に結合されることになる１つ以上の負荷のエネルギ要件に応答して電力変換器の出力へのエネルギの流れを調整するように結合される駆動信号発生器と、
　１つ以上の負荷のエネルギ要件が閾値を下回ると、駆動信号発生器を休止状態にすることによって、駆動信号発生器による電力変換器の出力へのエネルギの流れの調整を中止するように結合される、調整されない休止モード制御回路とを備え、
　駆動信号発生器は、休止状態の間は１つ以上の負荷のエネルギ要件の変化に応答しないように結合され、
　調整されない休止モード制御回路は、ある期間の経過後に駆動信号発生器をパワーアップするように結合され、
　駆動信号発生器は、ある期間の経過後に１つ以上の負荷のエネルギ要件の変化に再び応答するように結合され、
　電力スイッチは、エネルギ移送素子を通る電力変換器の出力へのエネルギ
の流れを調整するように結合され、
　エネルギ移送素子は絶縁出力巻線を含み、
　１つ以上の負荷の１つが絶縁出力巻線に結合され、
　１つ以上の負荷の前記１つは、電力変換器の出力端子に結合される負荷を含む、制御回路。」 
の点で一致し、以下の点で相違している。
 　 
〔相違点〕
　絶縁出力巻線に結合される１つ以上の負荷の１つに関し、本願発明は、予負荷インピーダンスを含むのに対し、引用発明は、予負荷インピーダンスを含まない点。
 　 
 　 
５．判断
　電力変換器において、出力端子に予負荷インピーダンスを結合することは、原査定の拒絶の理由に引用された引用例３（米国特許第６０２３１５６号明細書、図５preloading　resistor１４６参照。）に示されるように、電源回路の放電のための構成として周知の事項［必要があれば、特開２００６−２３０１２４号公報（【0011】放電用抵抗器Ｒ１）、特開平９−１１７１３５号公報（【0008】ダミー抵抗Ｒ１）等参照。］であるから、引用発明において、上記周知の事項のように電源回路の放電のために絶縁出力巻線に結合される１つ以上の負荷の１つに予負荷を含むことは、当業者が容易に考えられることと認められる。
　そして、本願発明の作用効果も、引用発明から当業者が予測できる範囲のものである。
　したがって、本願発明は、引用発明に基いて当業者が容易に発明をすることができたものである。
 　 
 　 
６．むすび 
　したがって、本願発明は、引用発明に基いて当業者が容易に発明をすることができたものであるから、他の請求項について検討するまでもなく、特許法第２９条第２項の規定により特許を受けることができない。
　そうすると、本願は拒絶されるべきものである。
　よって、結論のとおり審決する。